【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
長手方向で複数に分割構成されている棒状長柄における筒形の分割柄同士を連結するための分割柄の連結装置において、
前記分割柄の連結端部に設けられて、軸方向外方へ向かって外径が小さくなる円錐状の雄側突出部と、
隣接側の分割柄の連結端部に形成されて、軸方向内方へ向かって内径が小さくなり、かつ前記雄側突出部に嵌入・圧接される円錐状の雌側凹入部と、
を備え、
前記雄側突出部の先端部には、円周方向へ等配されて径方向外方へ突出する複数の突起が形成される一方、雌側凹入部には、前記雄側突出部が挿入操作された際に、雌側凹入部の最奥側の開口端側まで変位するのを許容してガイドする複数の溝条が形成されており、
前記雌側凹入部の最奥側の開口端部には、前記突起が該雌側凹入部の最奥側の開口端に至った状態で両分割柄を軸回りで相対回転変位させた際に、前記各突起にそれぞれ摺接される複数の螺旋状傾斜面が形成されており、
各傾斜面は、前記突起の回転変位量が大きくなる程、雄側突出部に対して挿入方向前方への引っ張り力を作用して雄側突出部と雌側凹入部との圧接力が増大するように、前記回転変位方向の前方側に向かって上り勾配に設定されており、
前記各傾斜面の略最頂部位には、雄側突出部と雌側凹入部との圧接力が略最大となった状態で前記突起に係合する係合凹部がそれぞれ節度部を兼ねて形成されていることを特徴とする分割柄の連結装置。
【請求項２】
前記雄側突出部および雌側凹入部は、それぞれ分割柄の各連結端部とは別体に成形されるとともに、それぞれが各分割柄の連結端部に嵌着・固定されている請求項１に記載の分割柄の連結装置。
【手続補正２】
【補正対象書類名】明細書
【補正対象項目名】０００４
【補正方法】変更
【補正の内容】
【０００４】
また、従来、筒形の分割柄と隣接側分割柄との径を異ならせて両者を互いに嵌合し、大径側分割柄内に配置した外嵌継ぎ手の先端に径方向内方へ向かう係止爪を形成する一方、小径側分割柄内に配置した内嵌継ぎ手の先端側にカム谷およびカム山が形成された周面カムを軸回りに設け、前記両分割を相対回転変位させた際に、前記係止爪を周面カムのカム谷からカム山に変位させることにより、該係止爪の外面側を径方向へ変形させて前記外継ぎ手の周壁内面に押圧させるようにした技術が提案されている（例えば、特許文献１参照）。
【手続補正３】
【補正対象書類名】明細書
【補正対象項目名】００１１
【補正方法】変更
【補正の内容】
【００１１】
［１］長手方向で複数に分割構成されている棒状長柄における筒形の分割柄同士を連結するための分割柄の連結装置において、前記分割柄の連結端部に設けられて、軸方向外方へ向かって外径が小さくなる円錐状の雄側突出部と、隣接側の分割柄の連結端部に形成されて、軸方向内方へ向かって内径が小さくなり、かつ前記雄側突出部に嵌入・圧接される円錐状の雌側凹入部と、を備え、前記雄側突出部の先端部には、円周方向へ等配されて径方向外方へ突出する複数の突起が形成される一方、雌側凹入部には、前記雄側突出部が挿入操作された際に、雌側凹入部の最奥側の開口端側まで変位するのを許容してガイドする複数の溝条が形成されており、前記雌側凹入部の最奥側の開口端部には、前記突起が該雌側凹入部の最奥側の開口端に至った状態で両分割柄を軸回りで相対回転変位させた際に、前記各突起にそれぞれ摺接される複数の螺旋状傾斜面が形成されており、各傾斜面は、前記突起の回転変位量が大きくなる程、雄側突出部に対して挿入方向前方への引っ張り力を作用して雄側突出部と雌側凹入部との圧接力が増大するように、前記回転変位方向の前方側に向かって上り勾配に設定されており、前記各傾斜面の略最頂部位には、雄側突出部と雌側凹入部のとの圧接力が略最大となった状態で前記突起に係合する係合凹部がそれぞれ節度部を兼ねて形成されていることを特徴とする分割柄の連結装置。
【手続補正４】
【補正対象書類名】明細書
【補正対象項目名】００１３
【補正方法】変更
【補正の内容】
【００１３】
前項［１］に記載の発明によれば、棒状長柄を構成している筒形分割柄の連結端部における雄側突出部を隣接側分割柄の雌側凹入部に所定量差し込み、回転変位操作するだけで、前記雄側突出部の先端の突起を雌側凹入部の開口端部の係合凹所に係合するので、分割柄同士を容易に連結できる。
【手続補正５】
【補正対象書類名】明細書
【補正対象項目名】００１７
【補正方法】変更
【補正の内容】
【００１７】
【図１】この発明の実施形態に係る分割柄の連結装置が適用された長柄付き清掃具を組立状態で示す正面図である。
【図２】同じく長柄を分割した複数の分割柄を示す正面図である。
【図３】（Ａ）は同じく分割柄の連結装置における雄側突出部を示す側面図、（Ｂ）は同じく雄側突出部を示す正面図、（Ｃ）は図３（Ｄ）のＡ−Ａ線に沿った断面図、（Ｄ）は同じく雄側突出部を先端側から見た矢視図である。
【図４】（Ａ）は分割柄の連結装置における雌側凹入部を連結端（上端）側から見た矢視図、（Ｂ）は同じく雌側凹入部を示す側面図、（Ｃ）は図４（Ａ）のＢ−Ｂ線に沿った断面図、（Ｄ）は図４（Ａ）のＣ−Ｃ線に沿った断面図である。
【図５】同じく雌側凹入部に雄側突出部を挿入操作する状態の説明図である。
【図６】（Ａ）は同じく雌側凹入部に雄側突出部を所定位置まで挿入した状態の説明図、（Ｂ）は同じく雌側凹入部に雄側突出部を所定位置まで挿入して回転変位させる状態の説明図である。
【図７】（Ａ）は清掃具側の筒部に分割柄の基端（下端）部を結合するための筒形結合部材を上側から見た矢視図、（Ｂ）は同じく筒形結合部材を示す外観図、（Ｃ）は図７（Ａ）のＤ−Ｄ線に沿った断面図、（Ｄ）は図７（Ａ）のＥ−Ｅ線に沿った断面図、（Ｅ）は同じく筒形結合部材を下側から見た矢視図である。
【図８】清掃具側の筒部に筒形結合部材を装着する前の状態を示す断面図である。
【図９】（Ａ）は同じく筒部に筒形結合部材を装着した状態を示す断面図、（Ｂ）は図９（Ａ）のＦ−Ｆ線に沿った断面図である。
【図１０】分割柄の連結装置における雌側凹入部の要部を一部破断して示す斜視図である。
【手続補正６】
【補正対象書類名】明細書
【補正対象項目名】００３３
【補正方法】変更
【補正の内容】
【００３３】
前記雌側凹入部６には、前記雄側突出部５との軸方向に沿った相対挿入操作に伴って突起５１，５１が雌側凹入部６の最奥側の開口端側まで変位するのを許容してガイドする一対の溝条６１，６１が形成されている。
【手続補正７】
【補正対象書類名】明細書
【補正対象項目名】００３４
【補正方法】変更
【補正の内容】
【００３４】
さらに、前記雌側凹入部６の最奥側の開口端部には、分割柄３１の雄側突出部５を隣接側分割柄３１の雌側凹入部６に挿入した状態で軸回りで所定方向（図６および図１０の矢印方向）へ回転変位させた際に、それに伴って突起５１，５１に摺接される略半周分の一対の螺旋状傾斜面６２，６２が形成されている。
【手続補正８】
【補正対象書類名】明細書
【補正対象項目名】００３５
【補正方法】変更
【補正の内容】
【００３５】
これら傾斜面６２，６２は、突起５１，５１の回転変位量が大きくなる程、雄側突出部５に対して挿入方向前方への引っ張り力を作用して雄側突出部５と雌側凹入部６との圧接力が増大するように、前記回転変位方向の前方側に向かって上り勾配に設定されている。
【手続補正９】
【補正対象書類名】明細書
【補正対象項目名】００３６
【補正方法】変更
【補正の内容】
【００３６】
また、これら一対の傾斜面６２，６２の略最頂部位（つまり、突起５１，５１が略半周分摺動変位した位置）には、雄側突出部５の外周面と雌側凹入部６の内周面との圧接力が略最大となった状態で前記突起５１，５１に係合する係合凹部６３，６３がそれぞれ節度部を兼ねて形成されている。
【手続補正１０】
【補正対象書類名】明細書
【補正対象項目名】００４０
【補正方法】変更
【補正の内容】
【００４０】
まず、分割柄３１における雄側突出部５の一対の突起５１，５１を隣接側の分割柄３１の雌側凹入部６の凹条６１，６１に嵌まる位置から、図５に示すように、前記雄側突出部５を隣接側分割柄３１の雌側凹入部６に挿入操作すれば、前記突起５１，５１が雌側凹入部６の凹条６１，６１に沿って前方へ変位する。
【手続補正１１】
【補正対象書類名】明細書
【補正対象項目名】００４２
【補正方法】変更
【補正の内容】
【００４２】
この回転操作により、一対の突起５１，５１がそれぞれ一対の螺旋状の傾斜面６２，６２を上る方向へ摺動変位し、前記一対の突起５１，５１の変位量が大きくなる程、雄側突出部５に対して軸方向先端側への引っ張り力が作用するとともに、雌側凹入部６との接合力が次第に強められ、突起５１，５１が略半周分変位して傾斜面６２，６２の最頂部位に至れば、該突起５１，５１が前記一対の係合凹部６３，６３に係合する。
【手続補正１２】
【補正対象書類名】明細書
【補正対象項目名】００４５
【補正方法】変更
【補正の内容】
【００４５】
このように、棒状長柄を構成している筒形分割柄３１における雄側突出部５を隣接側分割柄３１の雌側凹入部６に所定量差し込み、回転変位操作するだけで、雄側突出部５の先端側の一対の突起５１，５１が雌側凹入部６の開口端部の一対の係合凹所６３，６３に係合するので、分割柄３１，３１同士を容易に連結させることができる。
【手続補正１３】
【補正対象書類名】明細書
【補正対象項目名】００４７
【補正方法】変更
【補正の内容】
【００４７】
また、分割柄３１の連結装置４としては、分割柄３１の内部構造で達成してあるので、同径の分割柄３１，３１同士の連結部位に段差が生じることもない。このため、外観デザインがスッキリとしたものとなり、連結部位に汚れが溜まったりすることもなくなり、棒状柄３の外周面を拭き取り作業などしていつも綺麗に保つことができる。